(57)【要約】【課題】  浴室内で使用者が横臥姿勢となって岩盤浴のような温浴効果を簡単に得ることができ、しかもこのとき流下する汗が浴槽内に流れることも確実に防止することのできるヒータ付き浴槽を提供する。【解決手段】  人体Ｂが横臥することのできる盤面５を有するとともに該盤面５の下方にヒータ６を有する温浴台２を、浴槽本体１のフランジ部７に並設して一体に備えるとともに、上記浴槽本体１のフランジ部７の頂部を上記温浴台２の盤面５よりも高い位置に設けたヒータ付き浴槽とする。【選択図】        図１
2009005778.tif 000002
【特許請求の範囲】
【請求項１】
人体が横臥することのできる盤面を有するとともに該盤面の下方にヒータを有する温浴台を、浴槽本体のフランジ部に並設して一体に備えるとともに、上記浴槽本体のフランジ部の頂部を上記温浴台の盤面よりも高い位置に設けて成ることを特徴とするヒータ付き浴槽。
【発明の詳細な説明】
【技術分野】
【０００１】
本発明は、横臥姿勢で温浴効果を得ることができるヒータ付き浴槽に関する。
【背景技術】
【０００２】
浴槽にヒータを備えて成るヒータ付き浴槽としては、例えば特許文献１に開示されるものがある。これは、浴槽本体のフランジ部の頂部から側方に向けて面一に腰掛け部を延設し、洗い場側から該腰掛け部に腰を下ろした姿勢で身体を回転させ、フランジ部を跨ぐことで、老人等であっても楽に入浴することを可能にしたものである。そして、この腰掛け部には、温水パイプから成るヒータが内蔵してある。
【０００３】
しかし、上記浴槽の腰掛け部は、あくまで腰を置ける程度のスペースであって、岩盤浴のように人体が横臥姿勢でくつろげるようなスペースではない。また、上記ヒータも、腰掛け時に使用者に不快感を与えない程度に腰掛け部表面を温めておくだけのものであり、使用者に発汗作用を及ぼすものではない。
【０００４】
また、仮に使用者がこの腰掛け部に長時間座して汗を流すに至ったとしても、その場合には、使用者の身体を伝って腰掛け部表面に流れ落ちた汗がそのまま浴槽内に流れ込むこととなる。
【特許文献１】特開平１０−２８６１９１号公報
【発明の開示】
【発明が解決しようとする課題】
【０００５】
本発明は上記問題点に鑑みて発明したものであって、浴室内で使用者が横臥姿勢となってくつろぎながら岩盤浴のような温浴効果を簡単に得ることができ、しかもこのとき使用者から流下する汗が浴槽内に流れ込むことも確実に防止することのできるヒータ付き浴槽を提供することを、課題とするものである。
【課題を解決するための手段】
【０００６】
上記課題を解決するために本発明のヒータ付き浴槽を、人体Ｂが横臥することのできる盤面５を有するとともに該盤面５の下方にヒータ６を有する温浴台２を、浴槽本体１のフランジ部７に並設して一体に備えるとともに、上記浴槽本体１のフランジ部７の頂部を上記温浴台２の盤面５よりも高い位置に設けたものとする。
【０００７】
このようにすることで、使用者は通常の入浴時は浴槽本体１に溜め置いた湯に浸かって入浴の温浴効果を得るとともに、同一浴室内に並設される温浴台２の盤面５上に横たわった時には、岩盤浴のような温浴効果を得ることもできる。使用者が流した汗は盤面５上に流下するが、フランジ部７を該盤面５よりも高く設けてあることで浴槽本体１内にこの汗が流れ込むことは防止される。
【発明の効果】
【０００８】
本発明は、浴室内で通常の入浴による温浴効果が得られるとともに、使用者が温浴台に横臥姿勢となった時にはくつろぎながら岩盤浴のような温浴効果を簡単に得ることができ、しかも、このとき温浴台に流下する汗が浴槽内に流れ込むことは防止することができるという効果を奏する。
【発明を実施するための最良の形態】
【０００９】
以下、本発明を添付図面に示す実施形態に基づいて説明する。図１、図２には、本発明の実施形態におけるヒータ付き浴層の一例が示してある。
【００１０】
本例のヒータ付き浴槽は、湯を溜め置くための凹状の湯溜め部１０を有する浴槽本体１と、この浴槽本体１と一体に形成される温浴台２とを備えている。浴槽本体１は浴室内の洗い場３に並設され、浴槽本体１を挟んで洗い場３側と反対側に、温浴台２を並設している。更に温浴台２の側方には浴室の壁面４が位置しており、浴槽本体１と壁面４との間に温浴台２が挟まれる配置となっている。
【００１１】
温浴台２は、上方を向いて形成される平坦な盤面５を、人体Ｂが横臥することのできるスペースで設けてある。盤面５の下方には、盤面５を加熱するための面状のヒータ６が内蔵してある。ヒータ６には温度センサ（図示せず）が設けてあり、該温度センサの検知結果に基づいて、盤面５の温度が温浴用の適温に保持されるようにヒータ６の出力を制御するようになっている。
【００１２】
浴槽本体１の湯溜め部１０の開口縁に全周に亘って形成されるフランジ部７は、その両側方の一方にて湯溜め部１０と洗い場３との間を仕切り、他方にて湯溜め部１０と盤面５との間を仕切るものである。ここで、浴槽本体１のフランジ部７は、その頂部を、上記盤面５よりも高い位置に設けてある。また、上記フランジ部７の周囲には、盤面５から洗い場３に至るように該盤面５と面一、或いは盤面５から洗い場３側に向けて僅かに下方に傾斜させた流し面８が形成してある（図２参照）。
【００１３】
上記構成のヒータ付き浴槽によれば、通常の入浴時には、湯を溜め置いてある湯溜め部１０内に浸かって入浴による温浴効果を得る。そして、岩盤浴のような温浴効果を得たい時には、湯溜め部１０に隣接する温浴台２の盤面５をヒータ６により適温に保持したうえで、該盤面５上に横臥してくつろげばよい。横臥状態で或る程度の時間を経過すれば、盤面５からの熱伝導及び熱輻射により、使用者の人体Ｂは外側及び内側から温められて新陳代謝が活発化されるとともに、発汗作用により老廃物が排出される。
【００１４】
ここで、人体Ｂから流れ出た汗は盤面５上に流下して溜り、その後、流し面８を伝って洗い場３側に流れ落ちていく（図２中の矢印参照）。また、使用後に盤面５上に水をかければ、該水と共に流し面８を伝って汗を洗い場３側に流すことができる。このとき、浴槽本体１の湯溜め部１０を囲むフランジ部７は盤面５や流し面８よりも高く立設させてあるので、人体Ｂの汗が湯溜め部１０内に流れ落ちることがない。フランジ部７の盤面５に対する高さは、該フランジ部７を汗が乗り越えることがない適度な高さに設定しておく。
【００１５】
上記の如く、汗は浴槽本体１内に流入することなく、フランジ部７の周囲を迂回しながら洗い場３にまで至るので、温浴後も浴室内を清潔に保つことが容易である。
【００１６】
次に、本発明の実施形態における他例のヒータ付き浴槽について、図３に基づいて説明する。なお、一例において説明した構成と同様の構成については同一符号を付して詳しい説明は省略する。
【００１７】
図示のように本例においては、温浴台２が洗い場３の隣に並設され、温浴台２を挟んで洗い場３側と反対側に、浴槽本体１を一体に並設している。浴槽本体１の側方には浴室の壁面４が位置しており、温浴台２と壁面４との間に浴槽本体１が挟まれる配置となっている。
【００１８】
また、本例の浴槽本体１のフランジ部７は、両側方の一方にて湯溜め部１０と盤面５との間を仕切り、他方にて壁面４と当接するものである。また、温浴台２には、平坦な盤面５の側周縁から洗い場３側に向けて側面９を垂設している。
【００１９】
本例のヒータ付き浴槽によれば、適温に保持してある盤面５上に横たわることで、一例と同様に発汗作用を得ることができる。ここで、人体Ｂから流れ出た汗は盤面５上に流下して溜り、その後、側面９を伝って隣の洗い場３側に流れ落ちていく（図３中の矢印参照）。また、使用後に盤面５上に水をかければ、該水と共に側面９を伝って汗を洗い場３側に流すことができる。このとき、浴槽本体１の湯溜め部１０を囲むフランジ部７は盤面５よりも高く立設させてあるので、人体Ｂの汗が湯溜め部１０内に流れ落ちることがない。
【００２０】
上記の如く、汗は浴槽本体１内の湯に混じることなく、盤面５から側方に延設される側面９を流下して、速やかに洗い場３にまで至ることとなるので、温浴後も浴室内を清潔に保つことが容易である。
【図面の簡単な説明】
【００２１】
【図１】本発明の実施形態における一例のヒータ付き浴槽の説明用断面図である。
【図２】同上のヒータ付き浴槽の説明用平面図である。
【図３】本発明の実施形態における他例のヒータ付き浴層の説明用断面図である。
【符号の説明】
【００２２】
１  浴槽本体
２  温浴台
５  盤面
６  ヒータ
７  フランジ部
Ｂ  人体
【図１】
2009005778.tif 000003
【図２】
2009005778.tif 000004
【図３】
2009005778.tif 000005